(57)【要約】【課題】  押出し型材を所定長さに切断した汎用的な連結フックを、間仕切パネルや壁の表面部に形成したハンギング溝に確実且つ安定に係止することで、該連結フックを利用して他物を保持することが可能な係止装置を提供し、更に係止装置を用いた間仕切パネルのＴ字連結装置を提供する。【解決手段】  間仕切パネル１や壁の表面部に形成したハンギング溝５に、連結フック４のフック片７を係止して他物を保持する係止装置において、ハンギング溝５は水平に延びた開口部８の口縁上下に互いに対向させて張り出した係止縁９，９を有し、連結フック４は押出し型材を所定長さに切断して形成し、表面部に当接する基板１０の背面上端部にハンギング溝の上側係止縁９の内側に係止すると同時に下側係止縁９に係合するフック片７を有するとともに、基板の表面に他物を保持するための保持手段１１を突設した。【選択図】        図１
2010106624.tif 000002
【特許請求の範囲】
【請求項１】
間仕切パネルや壁の表面部に形成したハンギング溝に、連結フックのフック片を係止して他物を保持する係止装置において、前記ハンギング溝は、水平に延びた開口部の口縁上下に互いに対向させて張り出した係止縁を有するものであり、前記連結フックは、押出し型材を所定長さに切断して形成したものであり、前記表面部に当接する基板の背面上端部に前記ハンギング溝の上側係止縁の内側に係止すると同時に下側係止縁に係合するフック片を有するとともに、基板の表面に他物を保持するための保持手段を突設したことを特徴とする係止装置。
【請求項２】
前記連結フックのフック片は、前記基板の背面上端部に断面略Ｊ字状に突設し、先端部の外側に前記ハンギング溝の開口部内壁に当接する突部を形成するとともに、基端部の下側に前記下側係止縁を係合する係合凹部を形成したものである請求項１記載の係止装置。
【請求項３】
前記連結フックの保持手段は、前記基板の表面の下端部に突設した下保持部と前記基板の表面の上部に突設した上保持部とからなり、前記下保持部は、前記基板から直角に延設した下片の前縁を上方へ立ち上げて前片を形成するとともに、該前片の上縁から後方へ上片を延設したものであり、前記上保持部は、前記基板から直角に板状の保持片を延設したものであり、他物を連結して保持するために、前記前片若しくは保持片に螺孔を形成してなる請求項１又は２記載の係止装置。
【請求項４】
間仕切パネルや壁の表面部に対して、表示プレート、化粧パネル、掲示ボード等のオプションパネルを保持すべく、該オプションパネルの裏面に、前記連結フックの下保持部の上片に係止する脚片と前記上保持部の保持片に上方から接合する固定片を有する取付金具を固定し、前記取付金具の脚片を上片に係止するとともに、固定片を保持片に接合し、該固定片に形成した通孔に通したネジを前記保持片に形成した螺孔に螺合してなる請求項１〜３何れかに記載の係止装置。
【請求項５】
間仕切パネルや壁の表面部に対して、他の間仕切パネルを、連結ポストを介して連結してなる間仕切パネルのＴ字連結装置において、前記表面部には、水平に延びた開口部の口縁上下に互いに対向させて張り出した係止縁を有するハンギング溝を少なくとも上下に一対設け、前記連結ポストは、表裏両側の化粧面部間を中間板で連結して一体化した平面視略Ｈ字形を有し、一側面側に他の間仕切パネルと連結するための連結構造を備えるとともに、他側面側に受入溝を有するものであり、前記ハンギング溝に係止する連結フックは、押出し型材を前記受入溝に係合する長さに切断して形成し、前記表面部に当接する基板の背面上端部に前記ハンギング溝の上側係止縁の内側に係止すると同時に下側係止縁に係合するフック片を有するとともに、基板の表面に他物を保持するための保持手段を突設したものであり、前記ハンギング溝にそれぞれ係止した連結フックを前記連結ポストの受入溝に係合した状態で、前記中間板の通孔を通した連結ネジを前記連結フックの保持手段に螺合して保持し、該連結ポストの連結構造を利用して他の間仕切パネルを連結してなる間仕切パネルのＴ字連結装置。
【請求項６】
前記連結フックのフック片は、前記基板の背面上端部に断面略Ｊ字状に突設し、先端部の外側に前記ハンギング溝の開口部内壁に当接する突部を形成するとともに、基端部の下側に前記下側係止縁を係合する係合凹部を形成したものである請求項５記載の間仕切パネルのＴ字連結装置。
【請求項７】
前記連結フックの保持手段は、前記基板の表面の下端部に突設した下保持部と前記基板の表面の上部に突設した上保持部とからなり、前記下保持部は、前記基板から直角に延設した下片の前縁を上方へ立ち上げて前片を形成するとともに、該前片の上縁から後方へ上片を延設したものであり、前記上保持部は、前記基板から直角に板状の保持片を延設したものであり、そして前記前片に螺孔を形成するとともに、前記連結ポストの受入溝の両側内面に当止片を突設し、該受入溝に係合した前記連結フックの前片と保持片を前記当止片に当止するとともに、前記連結ネジを前片の螺孔に螺合してなる請求項５又は６記載の間仕切パネルのＴ字連結装置。
【発明の詳細な説明】
【技術分野】
【０００１】
本発明は、係止装置及びそれを用いた間仕切パネルのＴ字連結装置に係わり、更に詳しくは間仕切パネルや壁の表面部に形成したハンギング溝に連結フックを係止して他物を保持する係止装置及びそれを用いた間仕切パネルのＴ字連結装置に関するものである。
【背景技術】
【０００２】
従来から間仕切パネルの表面部に横方向に延びたハンギング溝を有し、該ハンギング溝に係止具を係止して小物等のオプション品を係止することができる構造のものは、各種提供されている。一方、直線状に連結した間仕切パネルに、他の間仕切パネルを平面視Ｔ字状に連結する構造の間仕切装置も各種提供されている。この場合、複数の間仕切パネルを平面視Ｔ字状に連結するには支柱を介して連結することが一般的である。
【０００３】
先ず、特許文献１には、合成樹脂製又はアルミニウム製の押出し成形品を適当な長さに切断してフックやトレーとし、間仕切パネルのハンギング溝に係止することができる構造が開示されている。つまり、押出し成形品には、後端に前記ハンギング溝内に係止し、パネル表面部に密着するフック部を有し、前部に反り上がった係止部（受部）を有し、長さを短く切断してフックとし、長く切断してトレーとするのである。つまり、フックのフック部をハンギング溝に係止し、係止部に小物を吊下げるといった使用が可能である。また、トレーのフック部をハンギング溝に係止し、受部に筆記具等を載置することが可能である。しかし、フック部とハンギング溝の係合関係が弱いので、前述の押出し成形品を用いて他物を間仕切パネルに連結するといったことは想定していない。
【０００４】
また、特許文献２には、二枚の間仕切パネルを互いの側端に設けた縦枠同士を接合し且つ連結具にて直線状に連結することが可能であるとともに、両間仕切パネル間の目地溝内に露出した縦枠に上下方向へ一定間隔毎に係止孔を形成した構造を有する間仕切パネルを用い、直線状に連結した両間仕切パネル（Ａ），（Ａ）の連結部に他の間仕切パネル（Ｂ）を直角に連結するための間仕切パネルの連結装置において、取付台座の両側に前記間仕切パネル（Ａ）の表面に当接する脚板を折曲形成するとともに、一方の脚板から前記目地溝に挿入する挿入板を延設し且つ該挿入板の先端に前記係止孔に嵌合係止する上向きフックを形成した上取付金具及び下向きフックを形成した下取付金具の一対と、前記間仕切パネル（Ｂ）の高さ及び厚さと略同一の上下長さ及び横幅を有する長尺部材であり、前記取付台座にネジ止めする基板の両側に該取付台座を外被する側板を有するとともに、前記基板の幅方向中央部分を前記縦枠の連結面側の構造と一致させ、該基板と間仕切パネル（Ｂ）の縦枠とを接合し且つ前記連結具にて連結し得るカバー部材と、よりなる間仕切パネルの連結装置が開示されている。
【０００５】
しかし、特許文献２に記載のＴ字連結装置は、直線状に連結した両間仕切パネル（Ａ），（Ａ）の連結部に上下方向に目地溝を有し、該目地溝内に有する係止孔を利用して、取付金具のフックを係止した状態、該取付金具の取付台座にカバー部材をネジ止めし、該カバー部材に他の間仕切パネル（Ｂ）を共通の連結具で連結するものであるから、他の間仕切パネル（Ｂ）の連結可能な位置が目地溝の位置に限定される。
【特許文献１】特開２００７−１５４６４５号公報（図７、図８）
【特許文献２】特許第３１９８８４９号公報（図１、図２、図５〜図７）
【発明の開示】
【発明が解決しようとする課題】
【０００６】
そこで、本発明が前述の状況に鑑み、解決しようとするところは、押出し型材を所定長さに切断した汎用的な連結フックを、間仕切パネルや壁の表面部に形成したハンギング溝に確実且つ安定に係止することで、該連結フックを利用して他物を保持することが可能な係止装置を提供し、更に係止装置を用いた間仕切パネルのＴ字連結装置を提供する点にある。
【課題を解決するための手段】
【０００７】
第１発明は、前述の課題解決のために、間仕切パネルや壁の表面部に形成したハンギング溝に、連結フックのフック片を係止して他物を保持する係止装置において、前記ハンギング溝は、水平に延びた開口部の口縁上下に互いに対向させて張り出した係止縁を有するものであり、前記連結フックは、押出し型材を所定長さに切断して形成したものであり、前記表面部に当接する基板の背面上端部に前記ハンギング溝の上側係止縁の内側に係止すると同時に下側係止縁に係合するフック片を有するとともに、基板の表面に他物を保持するための保持手段を突設したことを特徴とする係止装置を構成した（請求項１）。
【０００８】
ここで、前記連結フックのフック片は、前記基板の背面上端部に断面略Ｊ字状に突設し、先端部の外側に前記ハンギング溝の開口部内壁に当接する突部を形成するとともに、基端部の下側に前記下側係止縁を係合する係合凹部を形成したものであることが好ましい（請求項２）。
【０００９】
また、前記連結フックの保持手段は、前記基板の表面の下端部に突設した下保持部と前記基板の表面の上部に突設した上保持部とからなり、前記下保持部は、前記基板から直角に延設した下片の前縁を上方へ立ち上げて前片を形成するとともに、該前片の上縁から後方へ上片を延設したものであり、前記上保持部は、前記基板から直角に板状の保持片を延設したものであり、他物を連結して保持するために、前記前片若しくは保持片に螺孔を形成してなることが好ましい（請求項３）。
【００１０】
そして、間仕切パネルや壁の表面部に対して、表示プレート、化粧パネル、掲示ボード等のオプションパネルを保持すべく、該オプションパネルの裏面に、前記連結フックの下保持部の上片に係止する脚片と前記上保持部の保持片に上方から接合する固定片を有する取付金具を固定し、前記取付金具の脚片を上片に係止するとともに、固定片を保持片に接合し、該固定片に形成した通孔に通したネジを前記保持片に形成した螺孔に螺合してなることも好ましい（請求項４）。
【００１１】
また、第２発明は、間仕切パネルや壁の表面部に対して、他の間仕切パネルを、連結ポストを介して連結してなる間仕切パネルのＴ字連結装置において、前記表面部には、水平に延びた開口部の口縁上下に互いに対向させて張り出した係止縁を有するハンギング溝を少なくとも上下に一対設け、前記連結ポストは、表裏両側の化粧面部間を中間板で連結して一体化した平面視略Ｈ字形を有し、一側面側に他の間仕切パネルと連結するための連結構造を備えるとともに、他側面側に受入溝を有するものであり、前記ハンギング溝に係止する連結フックは、押出し型材を前記受入溝に係合する長さに切断して形成し、前記表面部に当接する基板の背面上端部に前記ハンギング溝の上側係止縁の内側に係止すると同時に下側係止縁に係合するフック片を有するとともに、基板の表面に他物を保持するための保持手段を突設したものであり、前記ハンギング溝にそれぞれ係止した連結フックを前記連結ポストの受入溝に係合した状態で、前記中間板の通孔を通した連結ネジを前記連結フックの保持手段に螺合して保持し、該連結ポストの連結構造を利用して他の間仕切パネルを連結してなる間仕切パネルのＴ字連結装置を構成した（請求項５）。
【００１２】
ここで、前記連結フックのフック片は、前記基板の背面上端部に断面略Ｊ字状に突設し、先端部の外側に前記ハンギング溝の開口部内壁に当接する突部を形成するとともに、基端部の下側に前記下側係止縁を係合する係合凹部を形成したものであることが好ましい（請求項６）。
【００１３】
また、前記連結フックの保持手段は、前記基板の表面の下端部に突設した下保持部と前記基板の表面の上部に突設した上保持部とからなり、前記下保持部は、前記基板から直角に延設した下片の前縁を上方へ立ち上げて前片を形成するとともに、該前片の上縁から後方へ上片を延設したものであり、前記上保持部は、前記基板から直角に板状の保持片を延設したものであり、そして前記前片に螺孔を形成するとともに、前記連結ポストの受入溝の両側内面に当止片を突設し、該受入溝に係合した前記連結フックの前片と保持片を前記当止片に当止するとともに、前記連結ネジを前片の螺孔に螺合してなることがより好ましい（請求項７）。
【発明の効果】
【００１４】
以上にしてなる請求項１に係る発明の係止装置によれば、間仕切パネルや壁の表面部に形成したハンギング溝として、水平に延びた開口部の口縁上下に互いに対向させて張り出した係止縁を有する構造とし、連結フックのフック片をハンギング溝の上側係止縁の内側に係止すると同時に下側係止縁に係合し、連結フックの基板を表面部に当接するので、ガタつきなく係止することができ、それにより連結フックの基板の表面に突設した保持手段に他物を安定に保持することができる。また、連結フックは押出し型材を所定長さに切断して形成したものであるので、保持手段に保持する他物に応じてその切断長さ、つまり横幅を最適に設定することができる。
【００１５】
請求項２によれば、前記連結フックのフック片は、前記基板の背面上端部に断面略Ｊ字状に突設し、先端部の外側に前記ハンギング溝の開口部内壁に当接する突部を形成するとともに、基端部の下側に前記下側係止縁を係合する係合凹部を形成したので、ハンギング溝に係止した状態では、フック片が上側係止縁の内側に係止し且つ突部が開口部内壁に当接して前後の変位を確実に規制し、更にフック片の基端部の係合凹部がハンギング溝の下側係止縁に係合するので、下方への変位も確実に規制し、もって連結フックは確実且つ安定に係止することができる。
【００１６】
請求項３によれば、前記連結フックの保持手段は、前記基板の表面の下端部に突設した下保持部と前記基板の表面の上部に突設した上保持部とからなり、前記下保持部は、前記基板から直角に延設した下片の前縁を上方へ立ち上げて前片を形成するとともに、該前片の上縁から後方へ上片を延設したものであり、前記上保持部は、前記基板から直角に板状の保持片を延設したものであり、他物を連結して保持するために、前記前片若しくは保持片に螺孔を形成してなるので、下保持部と上保持部の上下二部分を利用して他物を安定に保持することができ、更に前片若しくは保持片に形成した螺孔を利用して他物をネジ止めすることができ、連結フックと他物が一体化して更に確実且つ安定に保持することができる。
【００１７】
請求項４によれば、表示プレート、化粧パネル、掲示ボード等のオプションパネルの裏面に固定した取付金具の脚片を、ハンギング溝に係止した連結フックの下保持部の上片に係止するとともに、取付金具の固定片を連結フックの上保持部の保持片に上方から接合し、更に固定片に形成した通孔に通したネジを前記保持片に形成した螺孔に螺合することにより、オプションパネルを介して全ての連結フックが連結するので、オプションパネルを間仕切パネルや壁の表面部に沿って確実且つ安定に保持することができる。
【００１８】
請求項５に係る発明の間仕切パネルのＴ字連結装置によれば、間仕切パネルや壁の表面部に水平に設けたハンギング溝に連結フックを係止することにより、他の間仕切パネルを連結ポストを介して簡単且つ強固に平面視Ｔ字状に連結することができ、しかもハンギング溝の任意の位置に連結フックを係止できるので、間仕切パネルの左右の連結部以外の任意の位置で他の間仕切パネルを連結することができる。また、連結フックは、連結ポストの受入溝に係合する長さに切断して形成するので、連結フックと連結ポストの結合状態は非常に安定である。また、ハンギング溝は、水平に延びた開口部の口縁上下に互いに対向させて張り出した係止縁を有する構造とし、連結フックのフック片をハンギング溝の上側係止縁の内側に係止すると同時に下側係止縁に係合し、連結フックの基板を表面部に当接するので、ガタつきなく係止することができる。また、間仕切パネルや壁の表面部に一定間隔毎に多数のハンギング溝が形成されている場合には、使用するハンギング溝を選択することにより、連結する他の間仕切パネルの高さが低くても段違いの連結が可能である。
【００１９】
請求項６によれば、前記連結フックのフック片は、前記基板の背面上端部に断面略Ｊ字状に突設し、先端部の外側に前記ハンギング溝の開口部内壁に当接する突部を形成するとともに、基端部の下側に前記下側係止縁を係合する係合凹部を形成したので、ハンギング溝に係止した状態では、フック片が上側係止縁の内側に係止し且つ突部が開口部内壁に当接して前後の変位を確実に規制し、更にフック片の基端部の係合凹部がハンギング溝の下側係止縁に係合するので、下方への変位も確実に規制し、もって連結フックは確実且つ安定に係止することができ、Ｔ字状に連結した他の間仕切パネルの連結強度が高くなる。
【００２０】
請求項７によれば、前記連結フックの保持手段は、前記基板の表面の下端部に突設した下保持部と前記基板の表面の上部に突設した上保持部とからなり、前記下保持部は、前記基板から直角に延設した下片の前縁を上方へ立ち上げて前片を形成するとともに、該前片の上縁から後方へ上片を延設したものであり、前記上保持部は、前記基板から直角に板状の保持片を延設したものであり、そして前記前片に螺孔を形成するとともに、前記連結ポストの受入溝の両側内面に当止片を突設し、該受入溝に係合した前記連結フックの前片と保持片を前記当止片に当止するとともに、前記連結ネジを前片の螺孔に螺合してなるので、下保持部と上保持部の上下二部分を利用して連結ポストを安定に保持することができ、更に連結フックの前片と保持片を連結ポストの受入溝内の当止片に当止した状態で、前片に形成した螺孔を利用して連結ポストをネジ止めすることができ、連結フックと連結ポストが一体化して更に確実且つ安定に保持することができる。
【発明を実施するための最良の形態】
【００２１】
次に、添付図面に示した実施形態に基づき、本発明を更に詳細に説明する。図１は本発明に係る係止装置を示し、図２〜図１０は係止装置を用いて間仕切パネルの表面部に他の間仕切パネルを平面視Ｔ字状に連結する間仕切パネルのＴ字連結装置を示し、図中符号１は間仕切パネル、２は他の間仕切パネル、３は単位パネル、４は連結フック、５はハンギング溝、６は連結ポストをそれぞれ示している。
【００２２】
先ず、図１に基づいて第１発明に係る係止装置を説明する。本発明の係止装置は、間仕切パネルや壁の表面部に形成したハンギング溝５に、連結フック４のフック片７を係止して他物を保持するものであり、より詳しくは、前記ハンギング溝５は、水平に延びた開口部８の口縁上下に互いに対向させて張り出した係止縁９，９を有するものであり、前記連結フック４は、アルミ押出し型材を所定長さに切断して形成したものであり、前記表面部に当接する基板１０の背面上端部に前記ハンギング溝５の上側係止縁９の内側に係止すると同時に下側係止縁９に係合するフック片７を有するとともに、基板１０の表面に他物を保持するための保持手段１１を突設したものである。前記連結フック４は、アルミ押出し型材を所定長さに切断して形成したので、他物の大きさや重量に応じてその横幅を任意に設定可能である。
【００２３】
更に詳しくは、前記連結フック４のフック片７は、前記基板１０の背面上端部に断面略Ｊ字状に突設し、先端部の外側に前記ハンギング溝５の開口部内壁１２に当接する突部１３を形成するとともに、基端部の下側に前記下側係止縁９を係合する係合凹部１４を形成したものである。従って、前記連結フック４のフック片７は、側面視で上方へ湾曲して延びた形状であるので、該連結フック４の下部を手前に引いた傾斜状態で、フック片７から前記ハンギング溝５の開口部８に挿入し、上側係止縁９の背後に位置させた後、基板１０が垂直になるように回転させると、前記フック片７が上側係止縁９の内側に係止するとともに、突部１３が開口部内壁１２に当止し、更に当該連結フック４を下方へ若干ずらせることにより、係合凹部１４が下側係止縁９に係合する。この状態で、前記連結フック４は、基板１０が間仕切パネル１の表面部に当接し、フック片７の先端部が上側係止縁９と開口部内壁１２との間に嵌合するとともに、係合凹部１４が下側係止縁９に係合するので、ガタつきなく保持することができる。
【００２４】
また、前記連結フック４の保持手段１１は、前記基板１０の表面の下端部に突設した下保持部１１Ａと前記基板１０の表面の上部に突設した上保持部１１Ｂとからなり、前記下保持部１１Ａは、前記基板１０から直角に延設した下片１５の前縁を上方へ立ち上げて前片１６を形成するとともに、該前片１６の上縁から後方へ上片１７を延設したものであり、前記上保持部１１Ｂは、前記基板１０から直角に板状の保持片１８を延設したものである。そして、他物を連結して保持するために、前記前片１６若しくは保持片１８に螺孔１９を形成している。本発明に係る連結フック４は、汎用性を持たせるために、多様な他物に対して保持することができるように、前記保持手段１１として下保持部１１Ａと上保持部１１Ｂとを備えている。
【００２５】
次に、間仕切パネル１の表面部に形成した前記ハンギング溝５と前記連結フック４を利用して、この間仕切パネル１の表面部に、他の間仕切パネル２を、連結ポスト６を介して平面視Ｔ字状に連結する第２発明の間仕切パネルのＴ字連結装置を、先ず図１〜図３に基づいて簡単に説明する。ここで、前記連結ポスト６は、上下全長にわたって一体のものでも、また短いものを複数本繋ぎ合わせたものでも良い。
【００２６】
この場合、前記間仕切パネル１の表面部には、前記ハンギング溝５，…を少なくとも上下に一対設けている。また、前記連結ポスト６は、表裏両側の化粧面部２０，２０間を中間板２１で連結して一体化した平面視略Ｈ字形を有し、一側面側に他の間仕切パネル２と連結するための連結構造を備えるとともに、他側面側に受入溝２２を有する。前記ハンギング溝５に係止する前記連結フック４は、押出し型材を前記受入溝２２に係合する長さに切断して形成した。そして、前記ハンギング溝５，５にそれぞれ係止した連結フック４，４を前記連結ポスト６の受入溝２２に係合した状態で、前記中間板２１の通孔２３を通した連結ネジ２４を前記連結フック４の保持手段に螺合して保持する。具体的には、前記連結ポスト６の中間板２１の通孔２３を通した連結ネジ２４を前記連結フック４の前片１６に形成した螺孔１９に螺合する。
【００２７】
ここで、前記連結ポスト６の受入溝２２の両側内面に当止片２５，２５を突設し、該受入溝２２に係合した前記連結フック４の前片１６と保持片１８を前記当止片２５，２５に当止するとともに、前記連結ネジ２４を前片１６の螺孔１９に螺合して、連結ポスト６を間仕切パネル１の表面部に沿ってガタつきなく強固に取付ける。それから、通常の間仕切パネル１，１同士を連結するための連結構造と同様な連結構造を有する連結ポスト６に、他の間仕切パネル２を連結するのである。
【００２８】
次に、本実施形態に係る間仕切パネル１の構造を図４〜図７に基づいて説明する。本実施形態の間仕切パネル１は、アルミ押出し型材からなる複数の単位パネル３，…を連結手段にて上下左右に連結して所望の高さ及び長さに構成する。ここで、前記連結手段は、下連結具２６、上連結具２７及び締結具２８とからなる。単位パネル３と連結手段、そして、同じくアルミ押出し型材からなる笠木ベース２９、笠木カバー３０及び巾木部材３１が、直線状に連結して間仕切装置を構築するための最小構成となる。それ以外に、パネル終端面の処理のためのエンドポスト及び端部カバーやＬ字状、Ｔ字状あるいは十字状に連結するためのコーナーポスト及びポストカバー等が必要であるが、これらの構成については本発明との関連性がないので説明は省略する。尚、アルミ押出し型材の代わりに、合成樹脂製の押出し型材を用いることも可能である。
【００２９】
先ず、図４〜図７に示すように、前記単位パネル３は、表面板３２と裏面板３３とが下嵌合部３４と上嵌合部３５及び単又は複数の連結部３６，…で連結された中空形状であり、両側切断面において中央部に凹溝３７を形成し、両側に切断面を覆う鍔部３９と中央部に凹溝部４０を設けた端部部材３８を、該凹溝部４０を凹溝３７に嵌合するとともに、前記連結部３６，…にネジ止めし、該端部部材３８の凹溝部４０内に下係止部４１と上係止部４２を形成したものである。本発明においては、単位パネル３の構造には限定されず、該単位パネル３には両側端面に前記凹溝３７，３７を有するとともに、上下端部に前記下嵌合部３４と上嵌合部３５とを有するものであれば、どのような構造のパネルも採用できる。例えば、四角のフレームの表裏両面にパネル板を取付けた構造のもの、あるいは中実構造のものでも構わない。
【００３０】
実際には、前記凹溝３７は、下嵌合部３４と上嵌合部３５及び単又は複数の連結部３６，…の中央部を切り欠いて形成する。そして、前記連結部３６の中央部に一体形成された断面Ｃ字形の下穴４３に前記端部部材３８の凹溝部４０の底部から貫通させたタッピンねじ４４を螺合して取付ける。また、前記端部部材３８は、図２に示すように、前記凹溝３７に嵌合する部分は筒状になっており、複数の単位パネル３，…に跨って取付ける場合に長尺になっても十分な剛性を確保しているため、前記凹溝部４０は浅くなっている。前記前記凹溝部４０の底面部４５の下端部を切り欠いて前記下係止部４１を形成するとともに、該底面部４５の上端部を切り欠いて前記上係止部４２を形成している。
【００３１】
そして、前記単位パネル３の下嵌合部３４と上嵌合部３５は、互いに凹凸嵌合してパネル面外方向の変位を規制する構造となっている。具体的には、前記下嵌合部３４には下方へ開放した係合溝４６，４６を形成し、前記上嵌合部３５には前記下嵌合部３４の係合溝４６に係入する上方へ突設した突部４７，４７を突設している。そして、前記上嵌合部３５の突部４７，４７の間には、開口縁よりも内部が広がった嵌合溝４８を形成している。更に、前記単位パネル３の表面板３２と裏面板３３の上下縁に沿って前記係止縁９，…を形成し、上下に位置する単位パネル３，３の係止縁９，９を対向させ且つその間に開口部８を設けて上下の単位パネル間に沿ってハンギング溝５を形成するようになっている。尚、前記ハンギング溝５は、前記係止縁９の他に前記下嵌合部３４と上嵌合部３５の一部も使用して構成され、上下の単位パネル３，３の接合線が該ハンギング溝５の開口部８の上縁に一致するように設定し、接合線が見立たないようにしている。尚、前記開口部内壁１２は、前記下嵌合部３４の外面に対応している。同様に、前記笠木カバー３０と単位パネル３間、前記巾木部材３１と単位パネル３間にもハンギング溝５が形成される。
【００３２】
次に、前記単位パネル３，３を上下左右に連結する連結構造について、図２〜図４に基づいて具体的に説明する。本発明の場合、連結部には支柱を介在させず、共通の連結手段で上下方向の連結と左右方向（横方向）の連結を同時に実現することが特徴である。前記下連結具２６は、ブロック状の金属部材であり、両側に前記下係止部４１に下方から係止する係止爪部４９，４９を上部に有するとともに、上部中央部に筒部を突設して角孔５０を形成し、更に下部に第１係合部５１を形成している。
【００３３】
一方、前記上連結具２７は、ブロック状の金属部材であり、両側に前記上係止部４２に上方から係止する係止爪部５２，５２を下部に有するとともに、下部中央部に筒部を突設して角孔５３を形成し、該角孔５３の内部に上下貫通した通孔５４を形成し、更に上部に第２係合部５５を形成している。ここで、前記下連結具２６の下方へ突設した第１係合部５１が側面視略Ｔ字形の係合凸部であり、前記上連結具２７の第２係合部５５が内部よりも開口部が狭い係合凹部であり、前記第１係合部５１と第２係合部５５がパネル面内方向にスライド係合してそれぞれ互いに上下変位不能に係合する構造である。ここで、前記単位パネル３の上嵌合部３５の嵌合溝４８と上連結具２７の第２係合部５５とは断面形状を略一致させている。
【００３４】
そして、前記締結具２８は、前記下連結具２６の角孔５０と前記上連結具２７の角孔５３に上下摺動可能に嵌入する断面正方形の連結軸５６と締結ネジ５７とからなっている。前記連結軸５６の下端部は、下連結具２６の角孔５０に嵌合し、側方からＣ字形のバネピン５８を筒部と連結軸５６に密嵌して固定する。前記連結軸５６の上端部には、軸方向に螺孔５９を形成してあり、上端部を前記上連結具２７の角孔５３に嵌合し、締結ネジ５７を上方から通孔５４に通して螺孔５９に螺合する。ここで、前記締結具２８は、全て両端部部材３８，３８の凹溝部４０，４０内に収容されるようになっている。
【００３５】
そして、前記単位パネル３，…を上下左右に連結するには、下段から上段へ順次、下連結具２６、上連結具２７及び締結具２８を用いて行う。先ず、前記連結軸５６の下端部に取付けた下連結具２６の両係止爪部４９，４９を、左右の単位パネル３，３の端部同士、具体的にはそれぞれの端部部材３８，３８の鍔部３９，３９同士を接合し、各端部部材３８，３８の下係止部４１，４１に係止する。この際に、前記連結軸５６は凹溝部４０，４０で形成される縦孔内に立起状態で位置する。それから、上方から前記上連結具２７の角孔５３内に連結軸５６の上端部を嵌合するとともに、両係止爪部５２，５２を各端部部材３８，３８の上係止部４２，４２に係止し、上方から締結ネジ５７を通孔５４を通して挿入し、前記連結軸５６の螺孔５９に螺合する。この締結ネジ５７を締め付けることにより、下連結具２６と上連結具２７を引き付けるとともに、前記係止爪部４９，４９及び係止爪部５２，５２の傾斜を利用して左右の単位パネル３，３を引き寄せて連結するのである。
【００３６】
ここで、前記端部部材３８の一方の鍔部３９には、凹溝部４０の開口部に沿って突条３９Ａを形成するととともに、他方の鍔部３９には、凹溝部４０の開口部に沿って条溝３９Ｂを形成している。そして、左右の単位パネル３，３を連結する際に、各端部部材３８，３８の鍔部３９，３９を接合すると、前記突条３９Ａと条溝３９Ｂが係合し、パネル面外方向への変位を規制し、正確な位置で連結することができるようになっている。
【００３７】
そして、既に左右に連結した単位パネル３，…の上段に単位パネル３，３を連結するには、図４〜図６に示すように、下段の単位パネル３，３の連結に用いた上連結具２７を利用する。具体的には、前記連結軸５６の下端部に取付けた下連結具２６の第１係合部５１を、下段の連結に用いた上連結具２７の第２係合部５５にパネル面内方向からスライド係合させて立起状態に維持し、その状態で両単位パネル３，３の下嵌合部３４を、下段の単位パネル３，３の上嵌合部３５に載置して凹凸嵌合するとともに、各端部部材３８，３８の下係止部４１，４１を下連結具２６の両係止爪部４９，４９に係合させる。その後は、前記同様に上方から前記上連結具２７の角孔５３内に連結軸５６の上端部を嵌合するとともに、両係止爪部５２，５２を各端部部材３８，３８の上係止部４２，４２に係止し、上方から締結ネジ５７を通孔５４を通して挿入し、前記連結軸５６の螺孔５９に螺合する。すると、前記下連結具２６が引き上げられ、該第１係合部５１が下方の上連結具２７の第２係合部５５に強く係合する。この際、前記下連結具２６の両係止爪部４９，４９が各端部部材３８，３８の下係止部４１，４１に同時に強く接触するように寸法設定することが好ましい。
【００３８】
次に、前記笠木ベース２９及び笠木カバー３０を最上段の単位パネル３の上端、巾木部材３１を最下段の単位パネル３の下端にそれぞれ連結する構造を図４、図６及び図７に基づいて簡単に説明する。前記笠木ベース２９、笠木カバー３０及び巾木部材３１は、アルミ押出し型材から作製されており、前記単位パネル３の横幅に応じて適宜長さに切断される。前記笠木ベース２９の下部の嵌合部６０の形状は、前記単位パネル３の下嵌合部３４の形状と類似し、また前記巾木部材３１の上部の嵌合部６１の形状は、前記単位パネル３の上嵌合部３５の形状と一致している。前記笠木カバー３０は、笠木ベース２９を完全に覆うように上方から外嵌する。
【００３９】
前記笠木ベース２９を最上段の単位パネル３の上端に取付けるには、該笠木ベース２９の底面を貫通させたネジ６２を前記単位パネル３の上嵌合部３５に形成した嵌合溝４８内に側端から挿入した係止部材６３に螺合して締め付ける。具体的には、前記笠木ベース２９の底面に、前記ネジ６２を挿通する通孔６４とその両側に角穴６５，６５を形成する。そして、前記係止部材６３は、前記嵌合溝４８に上方への抜止め状態でスライド係合する長方形の板片の中央部に螺孔６６を形成するとともに、その両側に前記嵌合溝４８から上方へ突出し、前記笠木ベース２９の角穴６５，６５に嵌入する突起６７，６７を上方へ向けて形成している。そして、前記係止部材６３を単位パネル３の嵌合溝４８に係合した状態で、前記笠木ベース２９の嵌合部６０を単位パネル３の上嵌合部３５に嵌合するとともに、前記係止部材６３の突起６７，６７を笠木ベース２９の角穴６５，６５に嵌合し、上方から通孔６４にネジ６２を通して係止部材６３の螺孔６６に螺合して取付ける。
【００４０】
また、隣接する単位パネル３，３の連結部においては、両側の笠木ベース２９，２９にわたる長さの連結板６８を用いて強固に連結する。前記連結板６８の両端部には、前記笠木ベース２９の通孔６４と角穴６５，６５とに対応させて通孔６９と角穴７０，７０をそれぞれ形成している。そして、前記笠木ベース２９の角穴６５，６５から上方へ突出した前記係止部材６３の突起６７，６７に、前記連結板６８の角穴７０，７０を嵌合した状態で、該連結板６８の通孔６９と笠木ベース２９の通孔６４を通したネジ６２を係止部材６３の螺孔６６に螺合して取付ける。前記連結板６８の両側がそれぞれ隣接する笠木ベース２９，２９を介して単位パネル３，３に連結される。
【００４１】
そして、前記笠木カバー３０は、断面略コ字形であり、その凹溝内上面には断面Ｌ字形の一対の係止片７１，７１が平行に対向形成され、合成樹脂製の嵌合部材７２の上部の係止板７３を回転係合できるようになっている。前記笠木カバー３０には、所定数の嵌合部材７２，…を装着した状態で、前記笠木ベース２９に上方から嵌合すると、前記嵌合部材７２の下部に形成した脚片７４，７４が笠木ベース２９の内部に弾性的に係合する。
【００４２】
前記巾木部材３１は、図示しないが両端部に前記単位パネル３の凹溝３７と同様な凹溝を形成し、該凹溝に上段の単位パネル３の端部部材３８の下方延長部を嵌合し、前記同様にネジ止めするとともに、上部の嵌合部６１を単位パネル３の下嵌合部３４に凹凸嵌合する。尚、前記巾木部材３１には適宜アジャスター７５を設けている。
【００４３】
ここで、本発明に係る間仕切装置は、現場で順次積上げて構築することが特徴であるが、下部は最小限の高さが必要であるので、当該巾木部材３１と１枚〜４枚の単位パネル３，…を予め工場出荷時点で連結しておくことも好ましい。その場合には、長尺の前記端部部材３８，３８を用いて巾木部材３１と単位パネル３，…を上下に連結する。あるいは、取り扱いができる程度に、複数の単位パネル３，…を上下に凹凸嵌合するとともに、両端の各凹溝３７，…に亘って長尺の端部部材３８，３８の凹溝部４０を嵌合し、タッピンねじ４４で強固に連結して一体物の複合パネルを形成し、これを単位パネル３と同様に扱って前述のように上下左右に連結することも可能である。そして、この複合パネルを左右に連結するには、上下高さに応じた長尺の連結軸５６を用意するだけで良く、その他の下連結具２６や上連結具２７は共通のものを使用できる。
【００４４】
前記笠木ベース２９と笠木カバー３０の端部には、合成樹脂製の笠木キャップ７６を嵌着して端部を閉塞している。尚、前記笠木キャップ７６のフランジ部７７の厚さは、前記端部部材３８の鍔部３９の厚さの２倍とし、左右の連結部において一方の側の笠木ベース２９と笠木カバー３０の端部にのみ笠木キャップ７６を嵌着し、他方の側の笠木ベース２９と笠木カバー３０の端面はフランジ部７７を当接するようになっている。前記笠木キャップ７６のフランジ部７７から前記笠木ベース２９に上方から嵌着する装着部７８を延設し、またフランジ部７７の下部には前記上連結具２７を収容する凹部７９を設けている。
【００４５】
このように複数の単位パネル３，…を上下左右に連結した状態で、上下の単位パネル３，３間に形成したハンギング溝５は左右に連続して目地部を兼ねている。また、左右の単位パネル３，３間には端部部材３８，３８の鍔部３９，３９が重なって存在している以外に何もなく、すっきりとした外観となっている。同様に、最上段の単位パネル３と笠木カバー３０との間にも前記同様なハンギング溝５が設けられている。また、最下段の単位パネル３と前記巾木部材３１との間にも前記同様なハンギング溝５が設けられている。そして、前記単位パネル３の表面板３２と裏面板３３、笠木カバー３０及び巾木部材３１の側面は、横方向に延び、上下方向に繰り返しの波形面となっており、全体として統一的な意匠を構成している。
【００４６】
尚、前記下連結具２６の第１係合部５１は、前記単位パネル３の上嵌合部３５に形成した嵌合溝４８にスライド係合することが可能であるので、下段の連結に供した上連結具２７の第２係合部５５に係合させなくても、上段に単位パネル３をレンガ積みのように積上げて連結することが可能である。
【００４７】
次に、図３、図８〜図１０に基づいて、前記連結ポスト６を介して間仕切パネル１の表面部の途中に、他の間仕切パネル２を平面視Ｔ字状に連結する構造を更に詳しく説明する。前記間仕切パネル１には、各単位パネル３，３間、最上段の単位パネル３と笠木カバー３０の間及び最下段の単位パネル３と巾木部材３１との間に、前記ハンギング溝５，…が形成されている。
【００４８】
前記連結ポスト６は、アルミ押出し型材を所定長さに切断したものであり、両側面板８０，８０の間を中間板２１で連結した平面視略Ｈ字形を有し、各側面板８０の両側縁に外側へ突出した鍔部８１，８１を形成し、他の間仕切パネル２と連結する側の鍔部８１，８１には、前記ハンギング溝５，…に対応する位置に切欠８２，…を設けている。そして、前記側面板８０と両側の鍔部８１，８１で形成された凹部に、前記表面板３２と同様な外観を有するアルミ押出し型材からなる化粧板８３を嵌合するとともに、前記側面板８０に形成した開口８４に嵌着した係止具８５に該化粧板８３の背面に形成した係止部８６に係止して保持し、前記化粧面部２０を構成する。ここで、前記連結ポスト６の一側面側は、前記両側面板８０，８０と中間板２１及び鍔部８１，８１とで、前記単位パネル３の端部部材３８と同様な連結構造が形成されている。つまり、前記中間板２１の下端部には、前記下係止部４１と同様な下係止部８７を切欠形成するとともに、上端部には、前記上係止部４２と同様な上係止部８８を切欠形成している。また、前記連結ポスト６の他側面側は、前記両側面板８０，８０と中間板２１とで前記受入溝２２が形成されている。
【００４９】
前記間仕切パネル１の少なくとも上下２箇所のハンギング溝５，５に、それぞれ前記連結フック４のフック片７を係止して保持した状態で、前記連結ポスト６の受入溝２２に各連結フック４の基板１０と保持手段１１（下保持部１１Ａ及び上保持部１１Ｂ）を嵌合し、中間板２１に形成した通孔２３に通した連結ネジ２４を下保持部１１Ａの前片１６に形成した螺孔１９に螺合して取付ける。それから、前記連結ポスト６の下係止部８７と上係止部８８を利用して、他の間仕切パネル２を構成する単位パネル３の端部部材３８の下係止部４１と上係止部４２とに、前記下連結具２６、上連結具２７及び締結具２８とからなる連結手段を用いて前記同様に連結する。また、前記連結ポスト６の上端には、合成樹脂製の上端キャップ８９を嵌着し、該上端キャップ８９の一側面に突設した上向き爪片９０を前記笠木キャップ７６のフランジ部７７の凹部７９の部分で上方から押さえ込み、該上端キャップ８９の外れを防止している。
【００５０】
このように、間仕切パネル１の表面部の全幅にわたり形成したハンギング溝５を利用して、連結フック４と連結ポスト６を用いて他の間仕切パネル２を連結するので、幅方向の任意の位置で連結することができ、しかも他の間仕切パネル２の高さは、間仕切パネル１の高さより低くても同様に連結することができるのである。前記連結ポスト６の長さは、単位パネル３の最小単位に合わせたものや、最小単位の２倍、３倍の長さのものなどを用意しておけば、２枚、３枚の単位パネル３を端部部材３８で予め連結して複合一体化した取り扱い単位に対応させることができる。また、前記連結ポスト６，６を上下に繋ぐ際には、繋ぎ目に連結部材を内嵌することが好ましい。
【００５１】
尚、間仕切パネル１や壁の表面部にハンギング溝５が存在しない場合には、図１１に示すように、前記連結ポスト６の受入溝２２内に密嵌する外形寸法を有する固定部材９１を壁面Ｗに沿って垂直に固定しておき、該固定部材９１に連結ポスト６の受入溝２２を嵌合するとともに、前記中間板２１に形成した通孔２３を利用して適当なネジで固定部材９１を貫通して壁面Ｗにネジ止めする。その後は、前記連結ポスト６に他の間仕切パネル２を、連結手段を用いて連結する。ここで、前記固定部材９１を断面略コ字形とした場合、連結板を壁面Ｗに固定し、両側面板９２，９２を連結ポスト６の受入溝２２を嵌合するとともに、先端を断面Ｌ字状に屈曲した前記当止片２５，２５と側面板８０，８０の間に係合し当止することでより安定化する。
【００５２】
次に、本発明の係止装置の実施例として、図１２に示したものは、前記間仕切パネル１のハンギング溝５に係止した前記連結フック４を利用して、該間仕切パネル１の表面部に沿って表示プレート、化粧パネル、掲示ボード等のオプションパネル９３を保持すべく、該オプションパネル９３の裏面に、前記連結フック４の下保持部１１Ａの上片１７に係止する脚片９５と前記上保持部１１Ｂの保持片１８に上方から接合する固定片９６を有する取付金具９４を固定し、前記取付金具９４の脚片９５を上片１７に係止するとともに、固定片９６を保持片１８に上方から接合し、該固定片９６に形成した通孔９７に通したネジ９８を前記保持片１８に形成した螺孔１９に螺合したものである。尚、前記オプションパネル９３は、その裏面の四隅を前記連結フック４，…で保持するが、オプションパネル９３が軽量で小さい場合には、上側二箇所をハンギング溝５に係止した前記連結フック４，４に取付金具９４，９４を保持し、下部は姿勢を保つ程度に間仕切パネル１の表面部に当止するようにしても良い。
【００５３】
最後に、前記ハンギング溝５に連結フック４を係止して他物を保持可能な機能を備えた間仕切パネル１の応用例を図１２〜図１６に示している。前述の間仕切パネル１は、構成単位である単位パネル３，…を上下左右に複数連結して、室内の区画を目的に平面視直線状、Ｌ字状、Ｔ字状、十字状に構築する以外にも、ハンギング機能を利用した陳列パネルやデスクあるいはテーブルの脚体を構成する等、多様な使用方法が考えられる。
【００５４】
図１３及び図１４に示したものは、多数の単位パネル３，…を、コーナーポスト９９，９９を用いて平面視コ字形に連結し、両端部にはエンドポスト１００を連結して脚体とし、それに天板１０１と棚板１０２を取付けてデスクを構成したものである。間仕切パネル１を構成する単位パネル３の端部と前記コーナーポスト９９及びエンドポスト１００との連結は、図示しないが前記下連結具２６、上連結具２７及び締結具２８とからなる連結手段を用いて行うことができる。
【００５５】
前記天板１０１は、間仕切パネル１，…でコ字形に囲まれた空間に合った大きさを有し、所定高さのハンギング溝５，…を利用して取付ける。両側の間仕切パネル１，１の内面のハンギング溝５，５の前部位置に係止金具１０３，１０３を装着し、両係止金具１０３，１０３間にビーム１０４を架設し、後側の間仕切パネル１，１の内面のハンギング溝５の両側部位置にアングル金具１０５，１０５を係止し、前記ビーム１０４とアングル金具１０５，１０５の上に天板１０１を載置して下方からネジ止めして固定する。また、両側の間仕切パネル１，１の内面の後部にも幅の狭いアングル金具１０５をそれぞれ取付けて天板１０１の後部を支持している。
【００５６】
前記棚板１０２は、前記天板１０１の奥部の上位で間仕切パネル１の笠木カバー３０の上側位置に若干の間隔を開けて保持する。それには、図１５に示すように、ブラケット１０６の基端部の上端に設けた上向きフック１０７をハンギング溝５に係止するとともに、それより下方の当接部１０８を単位パネル３の表面部に当止し、先端部の支持部１０９の上端に固定板１１０の一端を上方からネジ止めする一方、支持台１１１の下端に固定したベース板１１２を前記笠木ベース２９にネジ止めするとともに、笠木カバー３０を貫通させて上方へ突出させ、該支持台１１１の上端に前記固定板１１０の他端を上方からネジ止めする。そして、前記固定板１１０の上に載置した前記棚板１０２を下方から固定板１１０にネジ止めするのである。また、前記ブラケット１０６の支持部１０９の上端と前記支持台１１１の上端に、それぞれ小さな固定片１１３の一端を上方からネジ止めし、該固定片１１３の他端をその上に載置した棚板１０２にネジ止めする。
【００５７】
また、前記棚板１０２がガラス板の場合には、前記固定板１１０や固定片１１３を用いて下方からネジ止めすることができないから、図１６に示すように、前記ブラケット１０６の支持部１０９の上端と前記支持台１１１の上端にパッキン材１１４を介在させて上方から直接ネジ止めする。図示したガラス製の棚板１０２は合わせガラスであり、下層ガラスにネジの通孔を形成し、上層ガラスにネジ頭部を収容する凹部を形成し、ネジ止め後に該凹部は適宜キャップで塞ぐようにしている。
【図面の簡単な説明】
【００５８】
【図１】本発明に使用する連結フックを示し、（ａ）は連結フックの斜視図、（ｂ）は連結フックを間仕切パネルのハンギング溝に係止した状態の部分断面図である。
【図２】間仕切パネルの表面部の途中に連結ポストを介して他の間仕切パネルを平面視Ｔ字状に連結した状態の部分斜視図である。
【図３】同じく連結ポストを間仕切パネルの表面部に連結する状態を示す部分分解斜視図である。
【図４】本実施形態の間仕切パネルの連結構造を示す部分分解斜視図である。
【図５】同じく単位パネルを上下左右に連結するための連結手段を示す部分分解斜視図である。
【図６】同じく単位パネルの連結状態を示す部分断面図である。
【図７】同じく単位パネルと笠木ベース、笠木カバー及び巾木部材との関係を示す縦断側面図である。
【図８】間仕切パネルの表面部の途中に連結ポストを介して他の間仕切パネルを平面視Ｔ字状に連結した状態の部分縦断面図である。
【図９】同じく一部省略した部分横断面図である。
【図１０】同じく間仕切パネルを構成する単位パネルと連結ポストの連結状態を示す部分縦断断面図である。
【図１１】壁面に取付金具を介して連結ポストを取付ける構造を示す部分分解斜視図である。
【図１２】本発明の係止装置の実施形態を示し、連結フックを用いてオプションパネルを間仕切パネルの表面部に沿って保持した状態の部分縦断面図である。
【図１３】間仕切パネルの使用例を示し、平面視コ字形に連結した脚体に天板と棚板を支持して構成したデスクの斜視図である。
【図１４】同じくデスクを示し、（ａ）は平面図、（ｂ）は正面図である。
【図１５】同じく棚板を支持する構造を示す部分拡大縦断面図である。
【図１６】同じくガラス棚板を支持する構造を示す部分拡大縦断面図である。
【符号の説明】
【００５９】
１  間仕切パネル、        ２  他の間仕切パネル、
３  単位パネル、          ４  連結フック、
５  ハンギング溝、        ６  連結ポスト、
７  フック片、            ８  開口部、
９  係止縁、              １０  基板、
１１  保持手段、          １１Ａ  下保持部、
１１Ｂ  上保持部、        １２  開口部内壁、
１３  突部、              １４  係合凹部、
１５  下片、              １６  前片、
１７  上片、              １８  保持片、
１９  螺孔、              ２０  化粧面部、
２１  中間板、            ２２  受入溝、
２３  通孔、              ２４  連結ネジ、
２５  当止片、            ２６  下連結具、
２７  上連結具、          ２８  締結具、
２９  笠木ベース、        ３０  笠木カバー、
３１  巾木部材、          ３２  表面板、
３３  裏面板、            ３４  下嵌合部、
３５  上嵌合部、          ３６  連結部、
３７  凹溝、              ３８  端部部材、
３９  鍔部、              ４０  凹溝部、
４１  下係止部、          ４２  上係止部、
４３  下穴、              ４４  タッピンねじ、
４５  底面部、            ４６  係合溝、
４７  突部、              ４８  嵌合溝、
４９  係止爪部、          ５０  角孔、
５１  係合部、            ５２  係止爪部、
５３  角孔、              ５４  通孔、
５５  係合部、            ５６  連結軸、
５７  締結ネジ、          ５８  バネピン、
５９  螺孔、              ６０  嵌合部、
６１  嵌合部、            ６２  ネジ、
６３  係止部材、          ６４  通孔、
６５  角穴、              ６６  螺孔、
６７  突起、              ６８  連結板、
６９  通孔、              ７０  角穴、
７１  係止片、            ７２  嵌合部材、
７３  係止板、            ７４  脚片、
７５  アジャスター、      ７６  笠木キャップ、
７７  フランジ部、        ７８  装着部、
７９  凹部、              ８０  側面板、
８１  鍔部、              ８２  切欠、
８３  化粧板、            ８４  開口、
８５  係止具、            ８６  係止部、
８７  下係止部、          ８８  上係止部、
８９  上端キャップ、      ９０  爪片、
９１  固定部材、          ９２  側面板、
９３  オプションパネル、  ９４  取付金具、
９５  脚片、              ９６  固定片、
９７  通孔、              ９８  ネジ、
９９  コーナーポスト、    １００  エンドポスト、
１０１  天板、            １０２  棚板、
１０３  係止金具、        １０４  ビーム、
１０５  アングル金具、    １０６  ブラケット、
１０７  フック、          １０８  当接部、
１０９  支持部、          １１０  固定板、
１１１  支持台、          １１２  ベース板、
１１３  固定片、          １１４  パッキン材、
Ｗ  壁面。
【図１】
2010106624.tif 000003
【図２】
2010106624.tif 000004
【図３】
2010106624.tif 000005
【図４】
2010106624.tif 000006
【図５】
2010106624.tif 000007
【図６】
2010106624.tif 000008
【図７】
2010106624.tif 000009
【図８】
2010106624.tif 000010
【図９】
2010106624.tif 000011
【図１０】
2010106624.tif 000012
【図１１】
2010106624.tif 000013
【図１２】
2010106624.tif 000014
【図１３】
2010106624.tif 000015
【図１４】
2010106624.tif 000016
【図１５】
2010106624.tif 000017
【図１６】
2010106624.tif 000018